(57)【要約】      （修正有）【課題】プラグが正しい位置に接続された否かを容易に判断できるエレクトリックコネクターを提供する。【解決手段】エレクトリックコネクター１は、絶縁本体１０、複数の導電端子２０、２個の嵌合弾力片３０を備え、絶縁本体１０はベース１１を備え、ベース１１両側には係合支持ブロック１３をそれぞれ設置し、ベース１１は係合支持ブロック１３前端に、対応接続導入ブロック１５を設置し、係合支持ブロック１３と対応接続導入ブロック１５との間には、収容槽を形成し、複数の導電端子２０は、絶縁本体１０内にそれぞれ収容され、２個の嵌合弾力片３０は収容槽内にそれぞれ収容され、嵌合弾力片３０は絶縁本体１０上に固定する基部を備え、基部は曲折して延伸し、アーチ型の弾力圧迫部を形成し、弾力圧迫部は弾力により収容槽から伸び出る。【選択図】図１
0003158969.tif 000002
【実用新案登録請求の範囲】
【請求項１】
絶縁本体、複数の導電端子、２個の嵌合弾力片を備え、
前記絶縁本体は、ベースを備え、前記ベース両側には、係合支持ブロックをそれぞれ設置し、前記ベースは、前記係合支持ブロック前端に、対応接続導入ブロックを設置し、前記係合支持ブロックと前記対応接続導入ブロックとの間には、収容槽を形成し、
前記複数の導電端子は、前記絶縁本体内にそれぞれ収容され、
前記２個の嵌合弾力片は、前記収容槽内にそれぞれ収容され、前記嵌合弾力片は、前記絶縁本体上に固定する基部を備え、前記基部は、曲折して延伸し、アーチ型の弾力圧迫部を形成し、前記弾力圧迫部は、弾力により前記収容槽から伸び出ることを特徴とするエレクトリックコネクター。
【請求項２】
前記ベース上には、複数の端子槽を開設し、前記端子槽は、前記ベースを前後に貫通し、前記導電端子は、溶接ピンをそれぞれ備え、前記溶接ピン一端は、曲折して延伸し、接触部を形成し、前記各導電端子は、前記絶縁本体内にそれぞれ収容され、前記接触部は、前記端子槽内に収容され、前記溶接ピンは、前記絶縁本体から伸び出ることを特徴とする請求項１に記載のエレクトリックコネクター。
【請求項３】
前記係合支持ブロック上には、係合支持槽を陥没状に形成し、前記係合支持槽は、曲折して、前記係合支持ブロック前端面まで延伸し、
前記対応接続導入ブロック上には、係合槽を陥没状に形成し、
前記弾力圧迫部末端は、湾曲して延伸し、接触支持部を形成し、前記基部はそれぞれ曲折して延伸し、係合支持部を形成し、
前記接触支持部は、対応する係合槽内に可動状態で収容され、前記基部及び前記係合支持部は、前記係合支持槽内に収容されることを特徴とする請求項１に記載のエレクトリックコネクター。
【請求項４】
前記基部片側面上には、突出状の係合支持凸部をそれぞれ備え、前記係合支持凸部は、前記係合支持槽の内側壁上にそれぞれ係合して支持されることを特徴とする請求項３に記載のエレクトリックコネクター。
【請求項５】
前記嵌合弾力片の係合支持部末端は、突出して係合固定部を備え、前記もう一つの嵌合弾力片の係合支持部末端は、突出して対応接続部を備え、
前記係合固定部と前記対応接続部は、前記絶縁本体から伸び出ることを特徴とする請求項３に記載のエレクトリックコネクター。
【請求項６】
前記係合支持ブロック上は、突出して、固定柱を形成し、
前記ベースの中央位置は、突出して、固定柱を形成し、
前記ベースは固定柱片側に、係合固定槽を開設し、前記係合固定槽内には、係合固定弾力片を収容することを特徴とする請求項１に記載のエレクトリックコネクター。
【考案の詳細な説明】
【技術分野】
【０００１】
本考案はコネクターに関し、特にエレクトリックコネクターに関する。
【背景技術】
【０００２】
従来のエレクトリックコネクターは、絶縁本体、複数の導電端子を備える。
複数の導電端子は、絶縁本体内に収容される。
プラグと接合する時には、エレクトリックコネクターと対応するプラグとは、一体に挿入して接続される。
【０００３】
しかし、上記したエレクトリックコネクターに、プラグを挿入して接続しても、正しい位置に接続された否かの判断は容易ではない。
本考案は、従来のエレクトリックコネクターの上記した欠点に鑑みてなされたものである。
【考案の概要】
【考案が解決しようとする課題】
【０００４】
本考案が解決しようとする課題は、プラグが正しい位置に接続された否かを容易に判断できるエレクトリックコネクターを提供することである。
【課題を解決するための手段】
【０００５】
上記課題を解決するため、本考案は下記のエレクトリックコネクターを提供する。
エレクトリックコネクターは、絶縁本体、複数の導電端子、２個の嵌合弾力片を備え、
該絶縁本体はベースを備え、該ベース両側には係合支持ブロックをそれぞれ設置し、該ベースは係合支持ブロック前端に、対応接続導入ブロックを設置し、該係合支持ブロックと該対応接続導入ブロックとの間には、収容槽を形成し、
該複数の導電端子は、該絶縁本体内にそれぞれ収容され、
該２個の嵌合弾力片は該収容槽内にそれぞれ収容され、該嵌合弾力片は該絶縁本体上に固定する基部を備え、該基部は曲折して延伸し、アーチ型の弾力圧迫部を形成し、該弾力圧迫部は弾力により収容槽から伸び出る。
【考案の効果】
【０００６】
本考案エレクトリックコネクターは、嵌合弾力片とプラグとが挿入して接続される時、嵌合弾力片とプラグ上の陥没構造とが対応し、正しい位置に挿入、接続されると、自動的にはね上がり、こうしてプラグが正しい位置に挿入されているか否かを容易に判断することができる。
【図面の簡単な説明】
【０００７】
【図１】本考案エレクトリックコネクターの一実施例の立体図である。
【図２】図１に示す実施例の別の角度からの立体図である。
【図３】図１に示すエレクトリックコネクターの係合弾力片の立体図である。
【図４】図１に示すエレクトリックコネクターの局部断面図である。
【考案を実施するための形態】
【０００８】
以下に図面を参照しながら本考案を実施するための最良の形態について詳細に説明する。
【０００９】
図１に示すように、本考案エレクトリックコネクター１は、絶縁本体１０、複数の導電端子２０、２個の嵌合弾力片３０、４０を備える。
【００１０】
図１に示すように、絶縁本体１０は、長方形板状のベース１１を備える。
ベース１１上には、複数の端子槽１２を開設する。
端子槽２は、ベース１１を前後に貫通する。
ベース１１両側には、係合支持ブロック１３をそれぞれ設置する。
【００１１】
図２に示すように、左側の係合支持ブロック１３上は、前方へと突出して、固定柱１４aを形成する。
ベース１１のおおよそ中央位置は、前方へと突出して、固定柱１４bを形成する。
ベース１１は、係合支持ブロック１３前端に、対応接続導入ブロック１５を設置する。
係合支持ブロック１３と対応接続導入ブロック１５との間には、収容槽１６を形成し、係合支持ブロック１３上には、係合支持槽１７を陥没状に形成する。
係合支持槽１７は、曲折して、係合支持ブロック１３前端面まで延伸し、対応接続導入ブロック１５上には、係合槽１８を陥没状に形成する。
ベース１１は、固定柱１４b片側に、係合固定槽１９を開設し、係合固定槽１９内には、係合固定弾力片５０を収容する。
【００１２】
図１、４に示すように、導電端子２０は、細長い形状の溶接ピン２１をそれぞれ備える。
溶接ピン２１一端は、曲折して延伸し、接触部２２を形成する。
各導電端子２０は、絶縁本体１０内にそれぞれ収容され、接触部２２は、端子槽１２内に収容され、溶接ピン２１は、絶縁本体１０から伸び出る。
【００１３】
図３、４に示すように、嵌合弾力片３０、４０は、絶縁本体１０内にそれぞれ収容される。
２個の嵌合弾力片３０、４０は、板状の基部３１、４１をそれぞれ備える。
基部３１、４１は、それぞれ前方へと曲折して延伸し、アーチ型の弾力圧迫部３２、４２を形成する。
各弾力圧迫部３２、４２末端は、前方へと湾曲して延伸し、接触支持部３３、４３を形成する。
各基部３１、４１片側面上には、突出状の係合支持凸部３４、４４をそれぞれ備える。
基部３１、４１はそれぞれ後方へと曲折して延伸し、係合支持部３５、４５を形成する。
嵌合弾力片３０の係合支持部３５末端は、突出して係合固定部３６を備え、嵌合弾力片４０の係合支持部４５末端は、湾曲して延伸し、対応接続部４６を備える。
嵌合弾力片３０、４０の弾力圧迫部３２、４２は、弾力により収容槽１６から伸び出る。
接触支持部３３、４３は、対応する係合槽１８内に可動状態で収容される。
基部３１、４１及び係合支持部３５、４５は、係合支持槽１７内にそれぞれ収容される。
係合支持凸部３４、４４は、係合支持槽１７の内側壁上にそれぞれ係合して支持される。
嵌合弾力片３０の係合固定部３６、嵌合弾力片４０の対応接続部４６は、それぞれ絶縁本体１０から伸び出る。
【００１４】
図２、３に示すように、本考案エレクトリックコネクター１が、プラグ(図示成し)と対応する時には、固定柱１４a、b、係合固定部３６、係合固定弾力片５０はみな、回路板(図示なし)上に固定して設置される。
対応接続導入ブロック１５は、挿入して接続する過程において、対応接続と導入の作用を備える。
嵌合弾力片３０、４０の弾力圧迫部３２、４２は、プラグ上に接触して圧迫し、プラグ上の陥没構造と対応する。
【００１５】
上記したように、本考案エレクトリックコネクター１は、嵌合弾力片３０、４０とプラグとが挿入して接続される時、嵌合弾力片３０、４０とプラグ上の陥没構造とが対応し、正しい位置に挿入、接続されると、自動的にはね上がる。
こうして、プラグが正しい位置に挿入されているか否かを容易に判断することができる。
さらに、本考案エレクトリックコネクター１には、２個の固定柱１４a、b、及び係合固定部３６を設置し、挿入設置の手助けをするため、挿入設置の安定性を確保することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案の要件である新規性を備え、従来の同類製品に比べ十分な進歩を有し、実用性が高く、社会のニーズに合致しており、産業上の利用価値は非常に大きい。
【符号の説明】
【００１８】
１  エレクトリックコネクター
１０  絶縁本体
１１  ベース
１２  端子槽
１３  係合支持ブロック
１４a  固定柱
１４b  固定柱
１５  対応接続導入ブロック
１６  収容槽
１７  係合支持槽
１８  係合槽
１９  係合固定槽
２０  導電端子
２１  溶接ピン
２２  接触部
３０、４０  嵌合弾力片
３１、４１  基部
３２、４２  弾力圧迫部
３３、４３  接触支持部
３４、４４  係合支持凸部
３５、４５  係合支持部
３６  係合固定部
４６  対応接続部
５０  係合固定弾力片
【図１】
0003158969.tif 000003
【図２】
0003158969.tif 000004
【図３】
0003158969.tif 000005
【図４】
0003158969.tif 000006